(57)【要約】【課題】ペットボトルの飲料用液体を容易に冷やすことができるとともに、好みに合わせて、味や風味等を調整できる冷却用補助ボトルの提供【解決手段】この発明の冷却用補助ボトルは、ペットボトル１の肩部２に嵌合できるように略すり鉢状に成形した底部３の中央部に、ペットボトル１の口部４に水密的に結合可能な開口部５を設けた構成であるので、ペットボトル１の肩部２に、冷却用補助ボトルＡの略すり鉢状に成形した底部３が嵌合し、冷却用補助ボトルＡがペットボトル１にほぼ一体的に結合され、使用時に冷却用補助ボトルＡのぐらつきを防止できるとともに、冷却用補助ボトルＡの中に味または香り付けしたかき氷６を入れると、ペットボトル１の飲料用液体を好みの味または香りの冷えた飲料用液体に変えることができるという効果を有している。【選択図】 図１
2005059892.tif 000002
【特許請求の範囲】
【請求項１】
ペットボトル中の飲料用液体を冷やしながら吐出できる冷却用補助ボトルであって、ペットボトル（１）の肩部（２）に嵌合できるように略すり鉢状に成形した底部（３）の中央部に、前記ペットボトル（１）の口部（４）に水密的に結合可能な開口部（５）を設けていることを特徴とする冷却用補助ボトル
【発明の詳細な説明】
【技術分野】
【０００１】
この発明は、ペットボトル中の飲料用液体を冷やしながら吐出できる冷却用補助ボトルに関するものである。
【背景技術】
【０００２】
従来、ペットボトルに入っているジュ−ス、コ−ラ、コ−ヒ、ミルク、お茶等の飲料用液体を冷やすには、ペットボトルを冷蔵庫等の中に放置し、飲料用液体全体を冷やすという手法が一般的であったので次のような問題点があった。
【０００３】
（１）ペットボトルを冷蔵庫等から取り出して、すぐに飲む場合には、問題はなかったが、例えば、ピクニック等で携帯する場合には、ペットボトル内の飲料用液体が温まってしまう。
（２）したがって、ピクニック等に携帯する場合には、ペットボトルを収納できる簡易型の冷蔵装置等を持参しなければならないので、嵩張り不便である。
（３）ペットボトル内の飲料用液体の味や風味等を好みに合わせて調整できない。
【特許文献１】特開２００１−３４１７９７号公報
【発明の開示】
【発明が解決しようとする課題】
【０００４】
この発明は、背景技術で記述した問題点を解消するためになされたもので、ペットボトルの飲料用液体を容易に冷やすことができるとともに、好みに合わせて、味や風味等を調整できる冷却用補助ボトルの提供を目的とするものである。
【課題を解決するための手段】
【０００５】
この発明の冷却用補助ボトルは、ペットボトル中の飲料用液体を冷やしながら吐出できる冷却用補助ボトルであって、ペットボトルの肩部に嵌合できるように略すり鉢状に成形した底部の中央部に、前記ペットボトルの口部に水密的に結合可能な開口部を設けていることを特徴とするものである。
【発明の効果】
【０００６】
この発明の冷却用補助ボトルは、図２に示すように、無味、味付け、または香り付けしたかき氷６を入れた冷却用補助ボトルＡの開口部５をペットボトル１の口部４に水密的に結合して使用可能に構成しているので、次のような効果を呈する。
（１）ペットボトル１内の飲料用液体はペットボトル１の口部４から、冷却用補助ボトルＡのかき氷６の層を通過して、冷却用補助ボトルＡの口部４’から流出するので、かき氷６の層を通過する間に、程良く冷やされる。
（２）ペットボトル１の飲料用液体がミルクの場合、例えば、かき氷６をコ−ヒ−で作れは、冷却用補助ボトルＡの口部４’からは冷えたミルクコ−ヒが味わえる。すなわち、ペットボトル１の飲料用液体の種類に合わせて、かき氷６の材料を選択することにより、飲料用液体を好みに合った味や風味等に調整することができる。
（３）かき氷６は、小型の魔法瓶等に入れて、持ち運びが容易であり嵩張るという不具合がない。
（４）ペットボトル１の口部４の寸法等は規格で統一されているので、互換性があり、１個の冷却用補助ボトルＡで、多種のペットボトル１に対応できる。
（５）ペットボトル１の肩部２に、冷却用補助ボトルＡの略すり鉢状に成形した底部３が嵌合し、冷却用補助ボトルＡがペットボトル１にほぼ一体的に結合されているので、使用時に冷却用補助ボトルＡのぐらつきを防止できる。
【発明を実施するための最良の形態】
【０００７】
ペットボトルの飲料用液体を手軽に冷やし、かつ好みに合わせて、味や風味等を調整するという目的を、かき氷６を入れた冷却用補助ボトルＡをペットボトル１の口部４に結合させることによって実現した。
【実施例】
【０００８】
この発明の実施の一例を図面を参照しながら説明する。この発明の冷却用補助ボトルＡは、図１〜図２に示すように、ペットボトル１の肩部２に嵌合できるように略すり鉢状に成形した底部３の中央部に、ペットボトル１の口部４に水密的に結合可能な開口部５を設けている。
【０００９】
ペットボトル１の口部４に、水密的に結合させるには、例えば、図３に示すように、冷却用補助ボトルＡの開口部５の内壁面に、ペットボトル１の口部４の雄ねじに螺合する雌ねじ７を刻設している。この場合は、冷却用補助ボトルＡをペットボトル１の口部４にねじ込んで水密的に結合させるとこになる。
【００１０】
また、図４に示すように、冷却用補助ボトルＡの開口部５の内壁面に、パッキング材として作用するゴム層等からなるパッキング層８を設けている。この場合には、冷却用補助ボトルＡをパッキング層８を介して、ペットボトル１の口部４に嵌着して水密的に結合させることになる。
【００１１】
なお、冷却用補助ボトルＡの口部４’と開口部５には、図示は省略したが、蓋または栓等を装着し、冷却用補助ボトルＡの内部への異物などの進入を防止するようにしてもよい。
【００１２】
また、冷却用補助ボトルＡの口部４’に、図示は省略したが、網状部材を設置するようにしてもよい。すると、後述する使用時において、冷却用補助ボトルＡの中に入れたかき氷６が口部４’から流出するのを防止できるので、飲み易くなり、便利である。
【００１３】
次に、冷却用補助ボトルＡの使用方法について説明する。冷却用補助ボトルＡの開口部５を、図２に示すように、ペットボトル１の口部４に螺合又は嵌着して水密的に結合する。
【００１４】
すると、ペットボトル１の肩部２に、冷却用補助ボトルＡの略すり鉢状に成形した底部３が嵌合し、冷却用補助ボトルＡがペットボトル１にほぼ一体的に結合され、使用時に冷却用補助ボトルＡのぐらつきを防止できる。
【００１５】
ついで、冷却用補助ボトルＡの口部４’からかき氷６を、冷却用補助ボトルＡの中に適当量だけ入れる。
【００１６】
なお、かき氷６を、ペットボトル１の飲料用液体に合わせて、適当に味付け又は香り付けをしておくと、飲料用液体を好みに合った味や風味等に調整ができるので、好ましい。
【００１７】
この状態で、冷却用補助ボトルＡの口部４’から、ペットボトル１の飲料用液体を流出させると、飲料用液体は、冷却用補助ボトルＡの中のかき氷６の層を通過するので、冷やされると同時に、味付けまたは香り付けをされる。
【００１８】
小さく砕いたかき氷６の総表面積は大きく、ペットボトル１の口部４から出た飲料用液体は、かき氷６の間を通り抜ける過程で、かき氷６の表面に多数回接触するので、飲料用液体は短時間で冷やされる。
【００１９】
なお、冷却用補助ボトルＡにかき氷６を入れたのち、ペットボトル１の口部４に水密的に結合させるようにしてもよい。
【産業上の利用可能性】
【００２０】
ペットボトル中の飲料用液体を素早く冷やしたり、好みの味、香付けができるので、野外パ−ティにおける簡易カクテル調合用の用具としての用途にも適用できる。
【図面の簡単な説明】
【００２１】
【図１】この発明の実施例を示す概略斜視図
【図２】ペットボトルに結合した状態を示す一部切欠正面図
【図３】この発明の実施例を示す一部切欠正面図
【図４】この発明の別の実施例を示す一部切欠正面図
【符号の説明】
【００２２】
１ ペットボトル
２ペットボトルの肩部
３略すり鉢状の底部
４ペットボトルの口部
４’冷却用補助ボトルの口部
５冷却用補助ボトルの開口部
６かき氷
７冷却用補助ボトルの開口部の内壁面の雌ねじ
８冷却用補助ボトルの開口部の内壁面のパッキング層
Ａ冷却用補助ボトル
【図１】
2005059892.tif 000003
【図２】
2005059892.tif 000004
【図３】
2005059892.tif 000005
【図４】
2005059892.tif 000006